(57)【要約】【課題】無電源電子カードの効率的な電源供給と動作を達成する。【解決手段】本発明は、電子カードの効率的な動作のための電源供給方法及びそれを用いた電子カードに関し、電源供給方法は、整流部から供給される直流電源を介して充電部を充電するステップと、前記定電圧活性化信号が印加された場合、予め定義された条件を満たしたとき、システム定電圧部を活性化させるステップと、前記システム定電圧部の活性化時、システム部に電源を供給するステップと、を含むことができる。【選択図】  図１
2019047714.tif 000002
【特許請求の範囲】
【請求項１】
電子カードにおいて、
アンテナから誘導された電流を変換して、直流電源を生成する整流部と、
前記整流部から供給される前記直流電源を介して充電される充電部と、
前記充電部と共に前記直流電源が供給され、定電圧活性化信号を受信する前まで不活性化状態であり、予め定義された条件を満たした時に活性化され、システム部に電源を供給するシステム定電圧部と、
前記システム定電圧部の活性化時、電源が供給され、動作するシステム部と
を含む電子カード。
【請求項２】
前記予め定義された条件は、前記充電部が予め定義された基準値以上の充電容量を有する第１条件と、
前記整流部から前記定電圧活性化信号を受信する第２条件と、
を含むことを特徴とする請求項１に記載の電子カード。
【請求項３】
前記予め定義された条件を満たしているか否かを判断するために、電源供給状態をモニタリングする電圧レベル認識部を、更に含む請求項１又は２に記載の電子カード。
【請求項４】
前記電圧レベル認識部が、前記予め定義された条件を満たしているか否かを判断し、満たしたとき、前記システム定電圧部に活性化信号を伝送することを特徴とする請求項３に記載の電子カード。
【請求項５】
前記システム部は、前記電子カードが提供する少なくとも一つの応用機能を具現するためのモジュールを含み、前記システム定電圧部から供給された電源を用いて動作されることを特徴とする請求項１に記載の電子カード。
【請求項６】
前記予め定義された条件は、前記電子カードの接触式インターフェースを介して電源が供給される第３条件を、更に含み、
前記電圧レベル認識部は、前記接触式インターフェースを介して電源が供給されたとき、前記予め定義された条件を満たしたと判断し、前記システム定電圧部を活性化させることを特徴とする請求項３に記載の電子カード。
【請求項７】
印加される電源状態と前記システム部の電源使用状態とを把握し、前記電圧レベル認識部に伝達するシステムインターフェース部を、更に含み、
前記システムインターフェース部は、前記整流部から受信される無線通信信号を検知するシステムＮＦＣ認識部と、前記システム部電源維持時、前記電圧レベル認識部電源維持要請信号を送信するシステム電源制御部と、を含む請求項３に記載の電子カード。
【請求項８】
前記システム電源制御部は、前記システムＮＦＣ認識部から電位レベル低減信号を受信し、前記システム部の電源維持が必要と判断されたとき、前記電圧レベル認識部に電源維持要請信号を送信することを特徴とする請求項７に記載の電子カード。
【請求項９】
前記電圧レベル認識部は、前記電源維持要請信号を受信したとき、前記予め定義された条件の満足の有無と関係なく、所定時間、前記システム定電圧部を活性化させることを特徴とする請求項８に記載の電子カード。
【請求項１０】
電子カードで具現される電源供給方法において、
整流部から供給される直流電源を介して充電部を充電するステップと、
定電圧活性化信号が印加された場合、予め定義された条件を満たしたとき、システム定電圧部を活性化させるステップと、
前記システム定電圧部の活性化時、システム部に電源を供給するステップと
を含み、
前記システム定電圧部は、前記充電部と共に前記直流電源が供給され、定電圧活性化信号を受信する前まで不活性化状態であることを特徴とする電源供給方法。
【請求項１１】
前記予め定義された条件は、前記充電部が予め定義された基準値以上の充電容量を有する第１条件、及び前記整流部から前記定電圧活性化信号を受信する第２条件を含む請求項１０に記載の電源供給方法。
【請求項１２】
前記活性化させるステップは、電圧レベル認識部が電源供給状態をモニタリングし、前記予め定義された条件を満たしているか否かを判断するステップと、
前記予め定義された条件を満たしたとき、前記電圧レベル認識部が前記システム定電圧部に活性化信号を送信し、活性化させるステップと、
を含む請求項１０又は１１に記載の電源供給方法。
【請求項１３】
前記予め定義された条件は、前記電子カードの接触式インターフェースを介して電源が供給される第３条件を、更に含み、
前記活性化させるステップは、前記電圧レベル認識部が前記接触式インターフェースを介して電源が供給されたとき、前記予め定義された条件を満たしたと判断し、前記システム定電圧部を活性化させるステップを、更に含むことを特徴とする請求項１２に記載の電源供給方法。
【請求項１４】
前記活性化させるステップは、システムインターフェース部が印加される電源状態と前記システム部の電源使用状態とを把握し、前記電圧レベル認識部に伝達するステップを、更に含む請求項１２に記載の電源供給方法。
【請求項１５】
前記伝達するステップは、
前記システムインターフェース部を介して電位レベル低減信号を検知するステップと、
前記システム部の電源維持が必要と判断されたとき、前記電圧レベル認識部に電源維持要請信号を送信するステップと、
を含む請求項１４に記載の電源供給方法。
【請求項１６】
前記活性化させるステップは、前記電圧レベル認識部が前記電源維持要請信号を受信したとき、前記予め定義された条件の満足の有無と関係なく、所定時間、前記システム定電圧部を活性化させることを特徴とする請求項１５に記載の電源供給方法。
【発明の詳細な説明】
【技術分野】
【０００１】
本発明は、電子カードの効率的な動作のための電源供給方法及びそれを用いた電子カードに関し、さらに詳しくは、エネルギーハーベスティング（Energy Harvesting）回路を用いた電源供給方法及びそれを用いた電子カードに関する技術を提案する。
【背景技術】
【０００２】
スマートカードは、磁気ストライプにカード情報を記録した従来の磁気カード方式から、ＩＣ（Integrated circuit）チップに情報が内蔵され、接触式、非接触式方式で情報を授受するカードや、ハイブリッドカード、コンビカードのような多様なカードを包括することができる。一方、スマートカードには、決済のための多様なセキュリティー情報が保存されることから、セキュリティー性が向上されたセキュリティー要素（セキュアエレメント（Secure Element））を備えることができる。
【０００３】
スマートカードは、決済だけでなく、取引認証又は本人認証のための用途としても使用されるにつれて、ＯＴＰ機能又は生体情報認識機能が付加され、多様な形態の電子カードとして開発されている。
【０００４】
電子カードは、従来のスマートカードとは違って、多様な機能の付加に伴い、各構成要素に電力消耗が生じ、電池付きカードを利用する方式が採用されてきた。しかし、電池の大きさと利用時間、充電方式などが電子カードの商用化条件に符合しなく、近ごろ、無電源電子カードが開発されている。先行技術として、特許文献１の無電源情報処理装置は、無電源ＩＣカードの一例を開示している。
【先行技術文献】
【特許文献】
【０００５】
【特許文献１】韓国  特許第１０−０５３７９０３号
【発明の概要】
【発明が解決しようとする課題】
【０００６】
本発明は、従来の電池付き電子カードの問題点を解決し、無電源電子カードの効率的な電源供給と動作を達成するための電源供給方法及びそれを用いた電子カードを提供することを目的とする。
【課題を解決するための手段】
【０００７】
本発明の第１の側面は、電子カードで具現される電源供給方法に関し、電源供給方法は、整流部から供給される直流電源を介して充電部を充電するステップと、前記定電圧活性化信号が印加された場合、予め定義された条件を満たしたとき、システム定電圧部を活性化させるステップと、前記システム定電圧部の活性化時、システム部に電源を供給するステップとを含み、前記システム定電圧部は、前記充電部と共に前記直流電源が供給され、定電圧活性化信号を受信する前まで不活性化状態であってもよい。
【０００８】
本発明の第２の側面は、電源供給方法を用いた電子カードに関し、電子カードは、アンテナから誘導された電流を変換して、直流電源を生成する整流部と、前記整流部から供給される前記直流電源を介して充電される充電部と、前記充電部と共に前記直流電源が供給され、定電圧活性化信号を受信する前まで不活性化状態であり、予め定義された条件を満たしたときに活性化され、システム部に電源を供給するシステム定電圧部と、前記システム定電圧部の活性化時、電源が供給され、動作するシステム部と、を含むことができる。
【０００９】
このとき、予め定義された条件は、前記充電部が、予め定義された基準値以上の充電容量を有する第１条件と、前記整流部から前記定電圧活性化信号を受信する第２条件とを含むことができる。
【００１０】
また、電子カードは、前記予め定義された条件を満たしているか否かを判断するために、電源供給状態をモニタリングする電圧レベル認識部を、更に含み、電圧レベル認識部が前記予め定義された条件を満たしているか否かを判断し、満たしたとき、前記システム定電圧部に活性化信号を伝送することができる。
【００１１】
電子カードのシステム部は、前記電子カードが提供する少なくとも一つの応用機能を具現するためのモジュールを含み、前記システム定電圧部から供給された電源を用いて動作することができる。
【００１２】
他の実施例として、予め定義された条件は、前記電子カードの接触式インターフェースを介して電源が供給される第３条件を、更に含み、電圧レベル認識部は、前記接触式インターフェースを介して電源が供給されたとき、前記予め定義された条件を満たしたと判断し、前記システム定電圧部を活性化させることができる。
【００１３】
また、電子カードは、印加される電源状態と前記システム部の電源使用状態とを把握し、前記電圧レベル認識部に伝達するシステムインターフェース部を、更に含み、システムインターフェース部は、前記整流部から受信される無線通信信号を検知するシステムＮＦＣ認識部と、前記システム部電源維持時、前記電圧レベル認識部電源維持要請信号を送信するシステム電源制御部とを含むことができる。ここで、システム電源制御部は、前記システムＮＦＣ認識部から電位レベル低減信号を受信し、前記システム部の電源維持が必要と判断されたとき、前記電圧レベル認識部に電源維持要請信号を送信することができる。電圧レベル認識部は、前記電源維持要請信号を受信したとき、前記予め定義された条件の満足の有無と関係なく、所定時間、前記システム定電圧部を活性化させることができる。
【発明の効果】
【００１４】
本発明の実施例に係る電源供給方法によれば、ＮＦＣ電源印加時にのみ、システム部に電源供給が行われるようにし、電子カード内充電部の充電時間を最大限短縮させながら、システム部の安定した動作を支援することができる。また、充電部の電源が自然放電されることを防止することができる。
【００１５】
また、電子カードの電圧レベル認識部が、電源モニタリングを介してシステム定電圧部の選択的活性化を具現することで、充電部に集中充電が可能になり、自然放電による充電容量消耗を低減することができ、電源の同時供給時、システム部が誤動作する問題を解決することができる。
【図面の簡単な説明】
【００１６】
【図１】本発明の第１実施例に係る電子カードの構成を示したブロック図である。
【図２】本発明の第２実施例に係る電子カードの構成を示したブロック図である。
【図３】本発明の第２実施例に係る電子カードの電源供給方法を説明するためのフローチャートである。
【図４】本発明の第３実施例に係る電子カードの構成を示したブロック図である。
【図５】本発明の第３実施例に係る電子カードの電源供給方法を説明するためのフローチャートである。
【図６】本発明の一実施例に係る電子カードの構成を説明するための例示図である。
【発明を実施するための形態】
【００１７】
以下、本発明の技術的思想を明確化するために添付された図面を参照して、本発明の好ましい実施例を詳細に説明する。本発明の説明において、関連した公知機能又は構成要素に対する具体的な説明が、本発明の要旨を不要に曖昧にすると判断される場合、その詳細な説明を省略する。各図において、実質的に同じ機能構成を有する構成要素については、たとえ、他の図面上に表示されても、できるだけ同じ参照番号及び符号を付与した。説明の便宜のために必要な場合には、装置と方法を一緒に記載した。
【００１８】
図１は、本発明の第１実施例に係る電子カード１００の構成を示したブロック図である。電子カード１００は、アンテナ５０、アンテナが受信したＲＦ又はＮＦＣ信号を変換して、直流電源を生成する整流部１０、直流電源を収納する充電部２０、スマートカードに付加される多様な電子回路を動作させるシステム部４０、及びシステム部に安定した電圧を供給するためのシステム定電圧部３０を含むことができる。本発明の一実施例に係る電子カード１００は、無電源電子カードであり、整流部１０、充電部２０、システム定電圧部３０を用いてシステム部４０に電源を供給するところ、構成要素１０〜２０又は１０〜３０をエネルギーハーベスティング（Energy Harvesting）回路又はエネルギーハーベスタ（Energy Harvester）と呼んでもよい。
【００１９】
アンテナ５０は、外部に設けられた非接触式のカード読み取り機から無線伝送されるＲＦ信号を受信する機能を果たす。例えば、非接触式のカード読み取り機側で予め決められた周波数を有する交流信号又は搬送波にデータを乗せた場合、カード読み取り機に備えられたＲＦアンテナに流れる電流が無線に変換され、スマートカードに備えられたアンテナ５０に電磁気誘導現象により誘導電流が発生する。
【００２０】
一実施例として、電子カード１００は、一つの単一アンテナ５０を備えてもよく、他の実施例として、電源用アンテナと通信用アンテナなど２つ以上のアンテナを含むように具現してもよい。例えば、電子カード１００は、システムに電源を供給するためのシステム駆動用アンテナとスマートカードチップ専用アンテナとを、それぞれ別途備え、この２つのアンテナが物理的に分離された構造を有するようにした状態で、システム駆動用アンテナをデータ伝送のための無線通信には利用せずに、電源受信のためにだけ利用するように構成される。これによれば、スマートカードが、カード読み取り機から受信する電力量が増加すると同時に、カード読み取り機とスマートカードと間のＲＦ通信における安定性が向上される効果がある。
【００２１】
整流部１０は、アンテナ５０から誘導された電流を直流（ＤＣ）電源に変換して生成する構成要素であり、例えば、ダイオードを用いた整流回路形態で具現され得る。アンテナ５０に誘導された電流は、交流電流である反面、電源を必要とするシステム部４０は、直流電源で動作するので、整流部１０は、アンテナ５０から受信したＲＦ信号を直流電源に変換する。
【００２２】
充電部２０は、整流部１０から供給された直流電源を収納するための手段であり、例えば、二次電池又はスーパーキャパシタ（Super Capacitor）で具現され得る。スーパーキャパシタは、キャパシタ（コンデンサ）の性能のうち、特に電気容量の性能を重点的に強化したものであり、電池の目的で使用されてもよく、電子回路に使用されるキャパシタは、電気的に充電池のような機能を有する。一実施例として、充電部２０は、整流部１０から印加される直流電源を介して充電でき、例えば、１秒程度の単時間に充電部２０の容量が充電できるように具現することができ、読み取り機に単時間接触することだけで、充電部２０にシステム動作に必要な瞬間電力を蓄積することができる。
【００２３】
システム定電圧部３０は、予め定義された信号に応じて、システム部４０に電源を供給するための構成要素であり、例えば、トランジスター、ＦＥＴ（Field Effect Transistor）、スイッチ、レギュレーターなどで具現され得る。一実施例として、システム定電圧部３０は、ＮＦＣより電源が印加された場合にのみ活性化され、システム部４０に電源を供給するように具現することができる。
【００２４】
従来の一般的な回路では、電源が充電部とシステム定電圧部に同時に供給され、システム定電圧部に供給された電源がシステム部にも伝達されるのが一般的であった。このように充電部とシステム部とに同時に電源が供給される場合、システムに供給される電源時間ほど充電時間が長くかかることになる。また、システムは、動作電位より低い電位で動作する場合が生じ、誤動作の問題が発生され、システムが不安定になり、一般的な消耗電流よりさらに多い電流を消耗することになる問題があった。
【００２５】
本発明は、このような問題を解決するために考案された技術であり、直流電源が充電部２０とシステム定電圧部３０に同時に供給されるが、システム定電圧部３０は、充電部２０の充電容量が基準値以上になる前まで不活性状態で動作するように具現され得る。システム定電圧部３０は、充電部２０が基準値以上で充電された状態で、ＮＦＣ電源印加時に発生する定電圧活性化信号に応じて活性化され得る。ここで、定電圧活性化信号は、予め決められた基準による直流電源信号を含む。システム定電圧部３０が活性化されると、システム部４０にも電源が供給される。
【００２６】
このような電源供給方法によれば、充電部２０は、定電圧活性化信号がなければシステム部に電源を供給しないので、自然放電が生じなく、電源が残在する。この後、取引時に残在された電源とＮＦＣから供給された電源を利用するため、充電部２０の充電時間が相対的に短くなる。
【００２７】
システム部４０は、システム定電圧部３０から供給された直流電源によって動作しており、スマートカードに付加される多様な応用モジュールを動作させる構成要素を含むことができる。例えば、スマートカードが、残額又は取引状態表示のためのディスプレイを備えた場合、システム部４０は、ディスプレイモジュール及びこれを駆動するＭＣＵモジュールを含むことができる。本発明のシステム部４０は、システム定電圧部３０が活性化された場合にのみ電源が供給され、動作するので、低い電位で誤動作が起こることなく、安定した動作を遂行することができる。
【００２８】
このように、本発明は、システム定電圧部を選択的に活性化又は不活性化させることにより、システム部４０に電源供給を調節することができる。また、システム定電圧部の不活性時に充電部２０を集中充電することによって、充電時間短縮と安定した充電状態を達成する効果がある。
【００２９】
図示されていないが、電子カード１００は、図示した構成要素の外にも、演算機能付きマイクロ・プロセッサ（ＭＰＵ）、チップ運営体制（ＣＯＳ；Chip Operation System）が収納されたＲＯＭ（Read Only Memory）、アプリケーションプログラムとそのデータが収納されるＥＥＰＲＯＭ（Electrically Erasable Programmable Read Only Memory）、様々な変数を含むデータを一時的に収納するためのＲＡＭ（Random Access Memory）及びスマートカードチップ外部とのデータ交換のための入出力インターフェース（I/O Interface）等の構成要素を、更に含むことができる。
【００３０】
また、前記第１実施例では、アンテナを用いた非接触式（Contactless）通信に伴う動作を中心に説明したが、これに限定されず、接触式（Contact）インターフェースを介して直流電源を受信する場合にも本実施例を適用することができる。
【００３１】
図２は、本発明の第２実施例に係る電子カードの構成を示したブロック図である。第１実施例と同様に、電子カード２００は、アンテナ５０、アンテナが受信したＲＦ又はＮＦＣ信号を変換して、直流電源を生成する整流部１０、直流電源を収納する充電部２０、スマートカードに付加される多様な応用モジュールを動作させるシステム部４０、及びシステム部に安定した電圧を供給するためのシステム定電圧部３０を含むことができる。第２実施例に係る電子カード２００は、システム定電圧部３０を活性化させるための電圧レベル認識部６０を、更に含むことができる。
【００３２】
第１実施例と同様に、電子カード２００は、読み取り機との接触又は非接触通信時、アンテナ５０を介して受信した電流を、整流部１０を介して直流電源（ＤＣ電源）に変換し、充電部２０とシステム定電圧部３０に同時に供給する。このとき、システム定電圧部３０は、充電部２０の充電容量が基準値以上になる前まで不活性状態で動作するように具現され得る。システム定電圧部３０は、充電部２０が基準値以上に充電された状態で、ＮＦＣ電源印加時に発生する定電圧活性化信号に応じて活性化され得る。システム定電圧部３０が活性化されると、システム部４０にも電源が供給される。
【００３３】
このような電源供給方法によれば、充電部２０に残在している電源と、ＮＦＣから供給された電源を利用するため、充電時間が短くなる。前述した構成要素１０〜５０は、第１実施例と同様に動作するので、詳細な説明は省略する。
【００３４】
電圧レベル認識部６０は、システム定電圧部３０の活性化可否を判断するために、電源印加状態をモニタリングするためのモジュールであり、半導体チップや回路などで構成され得る。電圧レベル認識部６０は、充電部２０の電圧がどの程度であるか検知し、ＮＦＣ電源印加時に発生する定電圧活性化信号を検知することができる。一実施例として、電圧レベル認識部６０は、充電部の電圧が基準値（例えば、２．３Ｖ）以上であるか否かをモニタリングすることができる。
【００３５】
電圧レベル認識部６０を用いた電源供給方法について、図３を参照して詳細に説明する。図３を参照すれば、読み取り機を介して電源印加時に、整流部１０を介して直流電源が供給されると、充電部２０が充電される（Ｓ３１０）。例えば、最初の充電時に直流電源は、充電部２０だけの充電に利用することができる。しかし、次回の充電時には、充電部２０に残留電源があり、充電時間が最小化されるにつれて、読み取り機を介してＮＦＣ電源印加時、直ぐにシステム定電圧部３０が活性化され得る。
【００３６】
電圧レベル認識部６０は、定電圧活性化信号の印加有無（第１条件）と充電部２０の充電容量（第２条件）をモニタリングすることができる（Ｓ３２０、Ｓ３４０）。図３では、定電圧活性化信号の印加有無を、まず、判断した後、充電容量が基準値以上であるかを判断することを示したが、これに限定されるのではなく、Ｓ３２０、Ｓ３４０の順が変わるか、同時に行えるように具現され得る。図３の実施例で、電圧レベル認識部６０は、ＮＦＣのような無線通信を介して定電圧活性化信号が発生されたかを判断することができ、印加された場合、充電部２０の充電容量が予め設定された基準値以上であるかを判断する。電圧レベル認識部６０は、定電圧活性化信号に関する第１条件と充電容量に関する第２条件とが両方満たされた場合に、システム定電圧部３０に活性化命令を伝達することができる。反対に、定電圧活性化信号が印加されていないか、充電容量が基準値に達していない場合には、システム定電圧部３０の不活性化状態を維持させることができる（Ｓ３３０）。
【００３７】
システム定電圧部３０が活性化されると、印加された電源がシステム定電圧部３０を介してシステム部４０に供給される（Ｓ３５０、Ｓ３６０）。システム部４０は、電源を供給され、電子カード２００の多様な機能を動作させることができる。
【００３８】
このような電源供給方法を介して充電部２０の充電時間を最大限短縮させながらシステム部４０の安定した動作を支援することができる。また、充電部２０の電源が自然放電されることを防ぎ、ＮＦＣ電源印加時にのみシステム部４０に電源供給が行われるように具現する。
【００３９】
第２実施例と関連して、図６の（ａ）及び（ｂ）は、本発明の一実施例に係る電子カードの構成を説明するための例示図である。一実施例として、電子カード６００は、アンテナ５０、整流部１０、充電部２０、電圧レベル認識部６０、システム定電圧部３０、システム部４０を含むように具現され得る。電子カード６００のセキュリティー要素）（ＳＥ）６２０とＣＯＢパッド６１０を、更に含むことができる。セキュリティー要素６２０は、セキュアエレメント（Secure Element）であり、電子カード６００の動作時、セキュリティーが必要な情報の処理、収納、暗号化演算など多様な機能を行う。ＣＯＢパッド６１０は、セキュリティー要素６２０の接点端子と連結され、読み取り機を介して受信した通信データ又は電源をセキュリティー要素６２０に供給することができる。
【００４０】
一方、本発明の一実施例により、多様な応用機能を遂行するシステム部４０に電源を供給するために、整流部１０を介して直流電源が印加されると、充電部２０が充電され、電圧レベル認識部６０の判断に応じて、システム定電圧部３０の活性化又は不活性化が決定される。前述したように、電圧レベル認識部６０は、ＮＦＣのような無線通信を介して定電圧活性化信号が発生したかを判断し、充電部２０の充電容量が予め設定された基準値以上であるかを判断する。
【００４１】
電圧レベル認識部６０は、定電圧活性化信号印加条件と充電容量基準値条件を両方満たしたときにシステム定電圧部３０に活性化命令を伝達することができる。反面、定電圧活性化信号が印加されていないか、充電容量が基準値に達していない場合には、システム定電圧部３０の不活性化状態を維持させることができる。システム定電圧部３０が活性化されると、印加された電源がシステム定電圧部３０を介してシステム部４０に供給される。
【００４２】
図６の（ａ）及び（ｂ）に示されたように、電圧レベル認識部６０は、充電部２０の充電容量と整流部１０を介した印加信号を検知するために、整流部１０と充電部２０と間に配置することができ、システム定電圧部３０に活性化信号を伝達できるように連結され得る。一実施例として、電圧レベル認識部６０とシステム定電圧部３０は、別途の構成要素として示したが、構成要素６０、３０が統合された形態に具現され得る。
【００４３】
また、前記第１実施例と同様に、第２実施例は、アンテナを用いた非接触式（Contactless）通信に伴う動作を中心に説明したが、これに限定されず、接触式（Contact）インターフェースを介して直流電源を受信する場合にも本実施例が適用され得る。
【００４４】
図４は、本発明の第３実施例に係る電子カード４００の構成を示したブロック図、図５は、第３実施例に係る電子カードの電源供給方法を説明するためのフローチャートである。第３実施例は、図２で説明した電子カード２００の構成に加え、システムインターフェース部７０を、更に含む構成に関するものである。
【００４５】
システムインターフェース部７０は、システム定電圧部３０が活性化条件を満たしていない場合にもシステム部４０に電源を供給するためのものであり、予め定義された場合に、電源供給を要請するための信号を伝達することができる。一実施例として、システムインターフェース部７０は、システムＮＦＣ認識部７１とシステム電源制御部７２とを含むことができる。
【００４６】
システムＮＦＣ認識部７１は、流入される直流電源のレベルを検知することによって、電子カード４００がＮＦＣ端末機（又は読み取り機）と離れた場合を認識することができる。例えば、予め定義された基準値以下に電源レベルが低減し始まる場合、電子カード４００がＮＦＣ端末機と離れており、間もなく電源供給が中断される可能性があることを検知することができる。
【００４７】
しかし、システム部４０において、電源供給中断後にも持続的な動作が必要であると認識した場合には、システム電源制御部（Power control）７２を介してシステム定電圧部３０が所定時間活性化するようにすることができる。
【００４８】
一実施例として、システム電源制御部７２は、システムＮＦＣ認識部７１から電源レベル検知信号を受信することができる。このとき、システム部４０の電源が維持されなければならない場合（例えば、システム部４０が表示部を含む場合、更に数秒（seconds）又は数分（minutes）間、動作しなければならない場合）、システム電源制御部７２は、電圧レベル認識部６０に電源維持信号を伝達することができる。電圧レベル認識部６０がシステム電源制御部７２から電源維持信号を受信したとき、電圧レベル認識部６０は、定電圧活性化信号（第１条件）及び充電部２０の充電容量（第２条件）に関係なく、システム定電圧部３０を所定時間、活性化させるように維持することができる。
【００４９】
これは、電子カード４００の動作中、システム部４０の動作が維持されるために電源が供給されなければならないにも関わらず、ＮＦＣ電源供給が中断されることによってシステム部４０に対する電源供給が遮断される問題を補完するためのものであり、システム部４０の安定した動作を保障することができる。
【００５０】
また、別の実施例として、電圧レベル認識部６０は、接触式読み取り機を介して電子カード４００に電源が印加される場合にもシステム定電圧部３０を活性化させるように具現することができる。前述した実施例では、電圧レベル認識部６０にＮＦＣ通信を介して電源が印加される場合に、定電圧活性化信号を受信することを記載したが、更に接触式インターフェース８０により電源が印加される場合にも、システム定電圧部３０を活性化させることができる。
【００５１】
第３実施例に係る電源供給方法を説明するために、図５を参照すれば、電源印加時、充電部２０に充電が行われる（Ｓ５１０）。このとき、電源印加は、非接触式（例えば、ＮＦＣ）通信を介した電源印加と、接触式通信を介してＣＯＢパッド６１０の接触式インターフェース８０に供給される電源印加とを両方含む。電源印加時、充電部２０が充電されていてもよく、前述したように、最初の充電時には、充電部２０の充電に時間が必要とされるが、次回からは残留電力によって充電部２０の充電時間が短縮される。
【００５２】
まず、図３を参照して説明したように、電圧レベル認識部６０は、定電圧活性化信号が印加されたかを判断し、充電容量が基準値以上であるかを判断し、システム定電圧部３０の活性化又は不活性化を決めることができる（Ｓ５２０、Ｓ５４０）。
【００５３】
別の実施例として、定電圧活性化信号が印加されていない場合にも接触式インターフェース８０により電源が供給されていれば、電圧レベル認識部６０がこれを検知し、システム定電圧部３０を活性化させることができる（Ｓ５３０）。
【００５４】
このとき、システム電源制御部７２がシステム部４０の電源が維持されなければならないと判断される場合が発生する可能性がある。例えば、システム部４０が表示部を含んで数秒（second）又は数分（minutes）間さらに動作しなければならない場合、又はシステム部４０のセンサーがさらに動作しなければならない場合などを含む。システム電源制御部７２は、電圧レベル認識部６０に電源維持信号を伝達することができる。電圧レベル認識部６０がシステム電源制御部７２から電源維持信号を受信した場合、電圧レベル認識部６０は、システム定電圧部３０を所定時間、活性化させるように維持させることができる。
【００５５】
システム定電圧部３０は、電圧レベル認識部６０から活性化信号が伝達された場合、システム部４０に電源を供給するように動作する（Ｓ５７０、Ｓ５８０）。例えば、システム定電圧部３０が、スイッチ形態で具現される場合、システム部４０に連結される回路に電源が供給されるようにスイッチをＯｎ（活性化）状態に転換し、電源を供給されるように具現され得る。
【００５６】
本実施例では、システム定電圧部３０を活性化させるための条件を説明したが、前述した条件（Ｓ５２０、Ｓ５６０、Ｓ５３０、Ｓ５４０）に加え、システム部４０に安定した電源供給のために追加的な条件を追加することができる。
【００５７】
このように、本発明の実施例によれば、電圧レベル認識部６０を、電源モニタリングを介したシステム定電圧部３０の選択的活性化を具現することによって、充電部２０の安定した充電を支援し、システム部４０の誤動作を防止することができる。即ち、充電部２０に集中充電が可能になり、自然放電による充電容量消耗を低減することができ、電源の同時供給時、システム部が誤動作する問題を解決することができる。
【００５８】
また、本発明は、コンピュータで読み取ることができる記録媒体にコンピュータが読み取ることができるコードとして具現することが可能である。コンピュータが読み取ることができる記録媒体は、マグネチック収納媒体、光学的判読媒体などの全ての収納媒体を含む。また、本発明で用いられるメッセージのデータフォーマットを記録媒体に記録することが可能である。
【００５９】
以上では、本発明について図面に示された好ましい実施例を中心にして詳細に調べた。このような実施例は、この発明を限定しようとするものではなく、例示的なものに過ぎず、限定的な観点ではなく説明的な観点で考慮されなければならない。本発明の真の技術的保護範囲は、前述した説明ではなく添付の特許請求範囲の技術的思想によって決まるべきである。本明細書に特定の用語が使用されたが、これは単に本発明の概念を説明するための目的で使用されたものであり、意味限定や特許請求範囲に記載された本発明の範囲を制限するために使用されたものではない。本発明の各ステップは、必ずしも記載された順に従う必要はなく、並列的、選択的又は個別的に実行され得る。本発明が属する技術分野における通常の知識を有した者は、特許請求範囲で請求する本発明の本質的な技術思想から逸脱しない範囲で多様な変形形態及び均等な他の実施例が可能であることを理解するだろう。均等物は、現在の公示された均等物だけでなく将来に開発される均等物、即ち、構造と関係がなく同じ機能を遂行するように発明された全ての構成要素を含むものとして理解しなければならない。
【符号の説明】
【００６０】
１０  整流部
２０  充電部
３０  システム定電圧部
４０  システム部
５０  アンテナ
６０  電圧レベル認識部
７０  システムインターフェース部
７１  システムＮＦＣ認識部
７２  システム電源制御部
【図１】
2019047714.tif 000003
【図２】
2019047714.tif 000004
【図３】
2019047714.tif 000005
【図４】
2019047714.tif 000006
【図５】
2019047714.tif 000007
【図６】
2019047714.tif 000008